(57)【要約】  【課題】  ネットワークよりネットワークアドレスを取得してデータ通信を行い、通信切断後に次のネットワーク接続のためのネットワークアドレス取得処理を行う無線通信端末において、データ通信中の電源切断要求時に、無線通信端末とネットワークの状態不一致をなくし、かつ電源切断までの時間短縮を図る。  【解決手段】  データ通信中の電源切断要求時において、端末電源切断要求の発行をし、端末電源切断処理一時停止タイマを起動するとともに、ネットワークに通信切断要求を発行し、ネットワークからの切断応答有無を判定して、切断応答有の場合に、端末電源切断要求の発行有無を判定し、発行有の場合に端末電源切断処理一時停止タイマによる時間設定をクリアし、新ネットワークアドレス取得処理を停止してから、電源切断処理をする。【選択図】  図２
2005229337.tif 000002
【特許請求の範囲】
【請求項１】
ネットワークよりネットワークアドレスを取得してデータ通信を行い、通信切断後に次のネットワーク接続のための新ネットワークアドレス取得処理を行う無線通信端末において、データ通信中の電源切断要求時に、端末電源切断要求の発行をし、端末電源切断処理一時停止タイマを起動させるとともに、前記ネットワークに通信切断要求を発行し、前記ネットワークからの切断応答有無を判定して、切断応答有の場合に、前記端末電源切断要求の発行有無を判定し、発行有の場合に前記端末電源切断処理一時停止タイマによる時間設定をクリアし、前記新ネットワークアドレス取得処理を停止してから、電源切断処理をすることを特徴とする無線通信端末のネットワーク切断方法。
【請求項２】
請求項１に記載の無線通信端末のネットワーク切断方法において、前記ネットワークからの切断応答有無を判定して、切断応答無の場合に、切断応答有無の判定を繰り返し、前記端末電源切断処理一時停止タイマによる設定時間が満了したら前記端末電源切断処理一時停止タイマによる時間設定をクリアし、前記新ネットワークアドレス取得処理を停止してから、電源切断処理をすることを特徴とする無線通信端末のネットワーク切断方法。
【請求項３】
請求項１または２に記載の無線通信端末のネットワーク切断方法において、前記端末電源切断要求の発行有無を判定して、発行無の場合に、無線通信を介して前記ネットワークに新ネットワークアドレス取得要求を送信し、取得した新ネットワークアドレスで待受け動作をすることを特徴とする無線通信端末のネットワーク切断方法。
【請求項４】
ネットワークよりネットワークアドレスを取得してデータ通信を行い、通信切断後に次のネットワーク接続のための新ネットワークアドレス取得処理を行う無線通信端末において、データ通信中の電源切断要求時に、端末電源切断要求の発行をし、端末電源切断処理一時停止タイマを起動させるとともに、前記ネットワークに通信切断要求を発行し、前記ネットワークからの切断応答有無を判定して、切断応答有の場合に、前記新ネットワークアドレス取得処理を行い、その後ネゴシエーション完了未完了を判定して、ネゴシエーション完了の場合に待受けに移行し、次いで前記端末電源切断要求の発行有無を判定し、発行有の場合に前記端末電源切断処理一時停止タイマによる時間設定をクリアし、前記新ネットワークアドレス取得処理を停止してから、電源切断処理をすることを特徴とする無線通信端末のネットワーク切断方法。
【請求項５】
請求項４に記載の無線通信端末のネットワーク切断方法において、前記ネットワークからの切断応答有無を判定して、切断応答無の場合に切断応答有無の判定を繰り返し、前記端末電源切断処理一時停止タイマによる設定時間が満了したら前記端末電源切断処理一時停止タイマによる時間設定をクリアし、前記新ネットワークアドレス取得処理を停止してから、電源切断処理をすることを特徴とする無線通信端末のネットワーク切断方法。
【請求項６】
請求項４または５に記載の無線通信端末のネットワーク切断方法において、前記ネゴシエーション完了未完了を判定して、ネゴシエーション未完了の場合に、ネゴシエーション完了未完了の判定を繰り返し、前記端末電源切断処理一時停止タイマによる設定時間が満了したら前記端末電源切断処理一時停止タイマによる時間設定をクリアし、前記新ネットワークアドレス取得処理を停止してから、電源切断処理をすることを特徴とする無線通信端末のネットワーク切断方法。
【発明の詳細な説明】
【技術分野】
【０００１】
本発明は、ネットワークに所属する端末が、データ通信中に電源切断処理が実行された際の切断シーケンス技術に関する。
【背景技術】
【０００２】
携帯電話などの無線通信端末でのネットワーク上の一端末として高速なデータ通信が実現されている。
【０００３】
最近日本などで実施されている携帯電話の新たなネットワークシステムにおいては、端末がネットワークにネットアドレスを要求することによって唯一のネットワークアドレスが与えられ、そのことによりセッションがオープンされセッションネゴシエーション処理を行う。
【０００４】
したがって、データ通信を行っていない場合でも、本状態でユーザがデータ通信接続したら、セッションオープン処理やセッションネゴシエーション処理をしないですみ、データ通信接続時間を短縮して、無線セッションをはった状態で待受けをする。
【０００５】
データ通信接続時には、データ通信接続要求をネットワークに送信し、ネットワーク側からデータ通信チャネルが割当てられ、データ通信が開始される。
【０００６】
しかしながら、データ通信中に、端末の電源を切断しなくてはならない場合がある（例えば、ユーザが移動中に携帯電話使用禁止区域に入り、ユーザが携帯電話の電源切断操作した時などが考えられる）。この際、上述のような携帯電話のネットワークにおいては、通信切断要求イベントと電源切断要求イベントが同時に発生することとなる。
【０００７】
この時、通信切断要求イベントに関しては、上述のネットワークでは、通信切断要求イベントにより無線通信切断処理が実行される。この場合、今まで使用していたネットワークアドレスが開放され、携帯電話は次の待受け動作のために次の新ネットワークアドレス取得動作に移行するよう規格で決められている。
【０００８】
この際、電源切断処理が並列処理で動作する上述のネットワークにおいては、電源切断処理のタイミングにより、通信切断処理の途中や、その後のアドレス取得処理の途中で、携帯電話の電源が切断され、通信切断処理シーケンスが途中で終了されてしまう。
【０００９】
なお、関連する特許文献としては、電源スイッチの操作で終話動作を行う一方で、タイミング手法により終話動作に必要な時間遅延させて、電源供給を遮断する無線電話装置の終話方法が、特許文献１に開示されている。
【００１０】
【特許文献１】特公平５−３５９３２号公報
【発明の開示】
【発明が解決しようとする課題】
【００１１】
上述のように、ネットワークよりネットワークアドレスを取得してデータ通信を行う無線通信端末において、端末とネットワークが通信中に電源切断イベントが発生した際、通信切断処理の途中や、その後の新ネットワークアドレス取得処理の途中で、端末の電源が切断され、通信切断処理シーケンスが途中で終了されてしまう。
【００１２】
この場合、通信切断メッセージがネットワークに届かず、端末が通信切断一方ネットワークはいぜんとして通信状態と、端末とネットワークの状態が不一致となり、ネットワークが無駄なデータを送り続ける場合や、端末が通信切断後にネットワークに対して新ネットワークアドレスを要求したが、その後のネットワークからのアドレス割当てメッセージが受け取れない等の新たな課題が発生する。また、この際、先に、次のネットワーク接続のための新ネットワークアドレス取得処理等を行うと、端末電源切断までの時間がかかってしまう。
【００１３】
上記特許文献１に記載の無線電話装置の終話方法では、電源スイッチの操作で終話動作を行ってから電源供給を遮断するに留まっていて、ネットワークよりネットワークアドレスを取得してデータ通信を行い、通信切断後に、次のネットワーク接続のためのネットワークアドレス取得処理を行う無線通信端末についてはふれておらず、さらにデータ通信中の電源切断要求時においての、電源切断までの時間もしくは次の電源投入時のネットワーク接続時間についても何らふれていない。
【００１４】
本発明の目的は、ネットワークよりネットワークアドレスを取得してデータ通信を行い、通信切断後に次のネットワーク接続のためのネットワークアドレス取得処理を行う無線通信端末において、データ通信中の電源切断要求時に、無線通信端末とネットワークの状態不一致をなくし、かつ電源切断までの時間短縮もしくは次の電源投入時のネットワーク接続時間短縮を図った無線通信端末のネットワーク切断方法を提供することにある。
【課題を解決するための手段】
【００１５】
上記課題を解決するために、本発明は、ネットワークよりネットワークアドレスを取得してデータ通信を行い、通信切断後に次のネットワーク接続のための新ネットワークアドレス取得処理を行う無線通信端末において、データ通信中の電源切断要求時に、端末電源切断要求の発行をし、端末電源切断処理一時停止タイマを起動させるとともに、前記ネットワークに通信切断要求を発行し、前記ネットワークからの切断応答有無を判定して、切断応答有の場合に、前記端末電源切断要求の発行有無を判定し、発行有の場合に前記端末電源切断処理一時停止タイマによる時間設定をクリアし、前記新ネットワークアドレス取得処理を停止してから、電源切断処理をすることを特徴とする。
【００１６】
これにより、無線通信端末とネットワークがデータ通信中に電源切断イベントが発生した際、通信シーケンスを正しく処理し、通信中の端末電源切断時の無線通信端末とネットワークとの状態不一致を解消し、また、無線ネットワーク上でやりとりされる余計な通信負荷を軽減し、さらに、この際、次回の接続の為のネットワークアドレス取得処理が行われるが、その処理を停止することで電源切断時間を短縮できる。
【００１７】
また本発明は、ネットワークよりネットワークアドレスを取得してデータ通信を行い、通信切断後に次のネットワーク接続のための新ネットワークアドレス取得処理を行う無線通信端末において、データ通信中の電源切断要求時に、端末電源切断要求の発行をし、端末電源切断処理一時停止タイマを起動させるとともに、前記ネットワークに通信切断要求を発行し、前記ネットワークからの切断応答有無を判定して、切断応答有の場合に、前記新ネットワークアドレス取得処理を行い、その後ネゴシエーション完了未完了を判定して、ネゴシエーション完了の場合に待受けに移行し、次いで前記端末電源切断要求の発行有無を判定し、発行有の場合に前記端末電源切断処理一時停止タイマによる時間設定をクリアし、前記新ネットワークアドレス取得処理を停止してから、電源切断処理をすることを特徴とする。
【００１８】
これにより、無線通信端末とネットワークがデータ通信中に電源切断イベントが発生した際、通信シーケンスを正しく処理し、通信中の端末電源切断時の無線通信端末とネットワークとの状態不一致を解消し、また、無線ネットワーク上でやりとりされる余計な通信負荷を軽減し、さらに、電源切断イベントが発生時に、次のネットワーク接続のための新しいネットワークアドレスを取得するまで電源切断を一時停止するので、次の電源投入時のネットワーク接続時間を短縮することができる。
【発明の効果】
【００１９】
本発明によれば、ネットワークよりネットワークアドレスを取得してデータ通信を行い、通信切断後に次のネットワーク接続のためのネットワークアドレス取得処理を行う無線通信端末において、データ通信中の電源切断要求時に、無線通信端末とネットワークの状態不一致をなくし、かつ電源切断までの時間短縮もしくは次の電源投入時のネットワーク接続時間短縮を図った無線通信端末のネットワーク切断方法を得ることができる。
【発明を実施するための最良の形態】
【００２０】
以下、図１、図２に基づいて、本発明の第一の実施形態を説明する。
【００２１】
まず図１は、本発明の第一の実施形態に係る無線通信端末がデータ通信中に電源切断要求を受けた際のシーケンスを示す図である。
【００２２】
端末１０１は、携帯電話や無線ネットワーク機能を搭載するＰＤＡやノート型ＰＣのような通信携帯端末である。ネットワーク１０２は、携帯電話基地局や他の機器が構築するネットワークや会社内や家庭内で構築する無線ネットワークである。端末１０１とネットワーク１０２は、お互いに通信プロトコルを有し、ネットワークを確立する。
【００２３】
端末１０１は、ネットワーク１０２よりネットワークアドレスを取得してデータ通信を行い、通信切断後に次のネットワーク接続のための新ネットワークアドレス取得処理を行う。
【００２４】
そのため、端末１０１は、まずネットワークアドレス取得要求をネットワーク１０２に対して行い、ネットワーク１０２は、端末１０１がネットワーク参加を許される場合に、端末に固有なネットワークアドレスを割当てる。このネットワークアドレスが割当てられた段階で端末１０１とネットワーク１０２はお互い待受け状態になり、端末１０１またはネットワーク１０２からの通信接続要求が行われた場合に、さらにデータ通信用チャネルが割当てられ、データ通信が開始されることとなる。データ通信用チャネル上でデータがやり取りされ、データ通信が行われている状態が通信中１０３である。
【００２５】
通信中１０３の状態で、端末使用者が電源キー押下やなんらかの要因で端末１０１の電源を切断するような電源切断要求１０４があった場合、端末１０１は、無線通信を介してネットワーク１０２に対して通信切断要求Ｓ１１を送信する。この際通信プロトコルが通信切断シーケンスを行っている間に、端末１０１の電源切断処理が行われ電源供給がなくなり、通信プロトコルが正常に動作しなくなることを防ぐために、電源切断一時停止１０５処理を行う。
【００２６】
通信切断要求Ｓ１１に対する切断応答Ｓ１２をネットワーク１０２から受信した場合には、電源切断一時停止１０５を止める。この段階で端末１０１とネットワーク１０２はお互いに通信切断処理によりネットワークセッションが開放された状態１０６になる。
【００２７】
この際、今まで使用していたネットワークアドレスは開放する。この場合、ネットワーク１０２に対して新ネットワークアドレスを取得する処理は行わない（１０７）。その後、端末の電源切断処理１０８を行う。この際、新アネットワークドレス取得処理中止１０７によって、新ネットワークアドレス取得処理シーケンス途中で電源が切断されることがなく、端末１０１とネットワーク１０２は正常な通信切断シーケンスが行われることとなる。さらに電源切断時間の短縮効果もある。
【００２８】
次に図２は、図１のシーケンスを実現する端末１０１内部の処理フローを示す図である。
【００２９】
通信中１０３の状態で端末使用者の電源切断操作などにより端末電源切断要求２０１が発生した場合、ネットワーク１０２への通信切断要求発行２０２処理を行うと同時に、端末電源切断要求発行２０９を発行して、端末電源切断処理一時停止用タイマを起動させる（２１０）。タイマ２１０を起動させる理由は、通信切断要求Ｓ１１と切断応答Ｓ１２は、無線通信であるため、電波が悪い環境では、通信切断要求Ｓ１１や切断応答Ｓ１２が届かない場合もあるため、切断応答Ｓ１２が届かない場合でもタイマ満了時には電源切断処理に移行できるようにするためである。
【００３０】
ネットワーク１０２への通信切断要求発行２０２を受けた通信プロトコルは、ネットワーク１０２に対して通信切断要求送信２０３を行い、通信切断要求Ｓ１１を送信し、それに対するネットワーク１０２からの切断応答Ｓ１２を待ちとなり、切断応答Ｓ１２が来たかどうかを判定する処理を行う（２０４）。
【００３１】
ネットワーク１０２からの切断応答Ｓ１２が来た場合には、端末電源切断要求発行２０９の有無を判定する（２１１）。これは、端末電源切断要求発行２０９がない場合には、通常の通信中の通信切断要求であるので、その際は、新ネットワークアドレス取得処理２１２を行い、待受け２１３処理に移行するためである。
【００３２】
判定２１１で端末電源切断要求発行２０９がある場合、および切断応答Ｓ１２が来たかどうかを判定する処理（２０４）で、切断応答無の場合に、切断応答有無の判定を繰り返し、前記タイマによる設定時間経過が満了したら、２１０で開始した端末電源切断処理一時停止用タイマをクリアする（２０６）。そして、新ネットワークアドレス取得処理停止２０７を行う。これにより、新ネットワークアドレス取得処理シーケンス途中で電源が切断されることがなく、さらに電源切断時間の短縮効果もある。その後、端末電源切断処理２０８を行う。
【００３３】
また、端末１０１が電源切断を要求されない場所に移動した後に電源を再投入する時は、通信するネットワークが変わりさらに新しいネットワークアドレスを取得する場合が考えられる、この時、新しいネットワークアドレスを取得する際に、今まで使用していたネットワークアドレスは開放されているので、開放する処理分の時間がかからず、新しいネットワークアドレスを取得する時間短縮にもなる。
【００３４】
以下、図３、図４に基づいて、本発明の第二の実施形態を説明する。
【００３５】
まず図３は、本発明の第二の実施形態に係る無線通信端末がデータ通信中に電源切断要求を受けた際のシーケンスを示す図である。
【００３６】
端末３０１は、携帯電話端末や無線ネットワーク機能を搭載するＰＤＡやノート型ＰＣ端末のような通信携帯端末である。ネットワーク３０２は、携帯電話基地局や他の機器が構築するネットワークや会社内や家庭内で構築する無線ネットワークである。端末３０１とネットワーク３０２は、お互いに通信プロトコルを有し、ネットワークを確立する。
【００３７】
端末３０１は、ネットワーク３０２よりネットワークアドレスを取得してデータ通信を行い、通信切断後に次のネットワーク接続のための新ネットワークアドレス取得処理を行う
そのため、端末３０１は、まずネットワークアドレス取得要求をネットワーク３０２に対して行い、ネットワーク３０２は、端末３０１がネットワーク参加を許される場合に、端末に固有なネットワークアドレスを割当てる。このネットワークアドレスが割当てられた段階で端末３０１とネットワーク３０２はお互い待受け状態になり、端末３０１またはネットワーク３０２からの通信接続要求が行われた場合に、さらにデータ通信用チャネルが割当てられ、データ通信が開始されることとなる。データ通信用チャネル上でデータがやり取りされ、データ通信が行われている状態が通信中３０３である。
【００３８】
通信中３０３の状態で、端末使用者が電源キー押下やなんらかの要因で端末３０１の電源を切断するような電源切断要求３０４があった場合、端末３０１は、無線通信を介してネットワーク３０２に対して通信切断要求Ｓ１１を送信する。この際通信プロトコルが通信切断シーケンスを行っている間に、端末の電源切断処理が行われ電源供給がなくなり、通信プロトコルが正常に動作しなくなることを防ぐために電源切断一時停止３０５処理を行う。
【００３９】
通信切断要求Ｓ３１に対する切断応答Ｓ３２をネットワーク３０２から受信した場合には、電源切断一時停止１０５を止める。この段階で端末３０１とネットワーク３０２はお互いに通信切断処理によりネットワークセッションが開放された状態３０６になる。この際、今まで使用していたネットワークアドレスは開放する。
【００４０】
その後次のネットワーク接続に備え、ネットワーク３０２に対して新ネットワークアドレス取得要求Ｓ３３を行う。ネットワーク３０２からはアドレス割当てＳ３４が来て、さらに待受け状態まで移行するためにネゴシエーションＳ３５を行う。これにより、端末３０１内部では新しいネットワークアドレスが割当てられ、すぐに待受けができる状態になる。さらにネットワーク３０２内部では、端末３０１に対してはネットワークアドレスを割当て、セッションをオープンさせた待受け状態３０８となる。この状態で端末の電源切断処理３０７を行う。
【００４１】
この間、電源切断一時停止処理３０５が稼動するため、新ネットワークアドレス取得処理シーケンス途中で電源が切断されることがなく端末３０１とネットワーク３０２は正常な通信切断シーケンスが行われることとなる。さらに電源切断前に新ネットワークアドレスを取得しているので、再度電源投入時のネットワーク３０２への接続時間の短縮効果もある。
【００４２】
次に図４は、図３のシーケンスを実現する端末３０１内部の処理フローを示す図である。
【００４３】
通信中３０３の状態で端末使用者の電源切断操作などにより端末電源切断要求４０１が発生した場合、ネットワーク１０２への通信切断要求発行４０２処理を行うと同時に、端末電源切断要求発行４０８を発行して、端末電源切断処理一時停止用タイマを起動させる（４０９）。タイマ４０９を起動させる理由は、通信切断要求Ｓ３１と切断応答Ｓ３２は、無線通信であるため、電波が悪い環境では、通信切断要求Ｓ３１や切断応答Ｓ３２が届かない場合もあるため、切断応答Ｓ３２が届かない場合でもタイマ満了時には電源切断処理に移行できるようにするためである。
【００４４】
ネットワーク３０２からの通信切断要求発行４０２を受けた通信プロトコルは、ネットワーク３０２に対して通信切断要求送信４０３を行い、通信切断要求Ｓ３１を送信し、それに対するネットワーク３０２からの切断応答Ｓ３２を待ちとなり、切断応答Ｓ３２が来たかどうかを判定する処理を行う（４０４）。
【００４５】
ネットワーク３０２からの切断応答Ｓ３２が来た場合には、新しいネットワークアドレスを取得する新ネットワークアドレス取得処理４１０を行う。この後、ネゴシエーション完了判定４１１でネゴシエーションが完了した場合には、端末３０１は待受け状態４１３に移行する。
【００４６】
ここで、端末３０１は端末電源切断要求発行４０８の有無を判定する（４１４）。これは、端末電源切断要求発行４０８がない場合には、通常の通信中の通信切断要求であるので、そのまま、待受け４１５を継続するためである。
【００４７】
ネットワーク３０２からの切断応答とネゴシエーション完了が端末電源切断処理一時停止用タイマ満了（４０５、４１２）までに終わらなかった場合は、電波が悪い環境と判断して端末電源切断処理一時停止タイマクリア処理４０６に移行し、端末電源切断処理４０７を行う。これにより、新ネットワークアドレス取得処理シーケンス途中で電源が切断されることがなく、さらに端末４０１とネットワーク４０２の状態不一致がなく、次回の通信接続時間短縮効果がある。
【００４８】
なお、上述した本発明の各実施の形態は、本発明の説明のための例示であり、本発明の範囲を実施の形態にのみ限定する趣旨ではない。当業者は、本発明の要旨を逸脱することなしに、他の様々な態様で本発明を実施することができる。
【図面の簡単な説明】
【００４９】
【図１】本発明の第一の実施形態に係る無線通信端末がデータ通信中に電源切断要求を受けた際のシーケンスを示す図である。
【図２】図１のシーケンスを実現する端末内部の処理フローを示す図である。
【図３】本発明の第二の実施形態に係る無線通信端末がデータ通信中に電源切断要求を受けた際のシーケンスを示す図である。
【図４】図３のシーケンスを実現する端末内部の処理フローを示す図である。
【符号の説明】
【００５０】
１０１…端末、１０２…ネットワーク、１０３…通信中の状態、１０４…電源切断要求、１０５…電源切断一時停止、１０６…セッション開放（アドレス開放）の状態、１０７…新アドレス取得処理中止、１０８…電源切断の状態、２０１…通信中の端末切断要求、２０２…通信切断要求発行、２０３…ネットワークに対して通信切断要求送信、２０４…ネットワークからの切断応答判定、２０５…端末電源切断処理一時停止用タイマ満了判定、２０６…端末電源切断処理一時停止用タイマクリア処理、２０７…新アドレス取得処理停止処理、２０８…端末電源切断処理、２０９…端末電源切断要求発行処理、２１０…端末電源切断処理一時停止用タイマ起動、２１１…端末電源切断要求発行有無判定、２１２…新アドレス取得処理、２１３…待受け状態、３０１…端末、３０２…ネットワーク、３０３…通信中の状態、３０４…電源切断要求、３０５…電源切断一時停止、３０６…セッション開放（アドレス開放）の状態、３０７…電源切断（新アドレス保有状態）、３０８…セッションオープン（待受け）状態、４０１…通信中の端末電源切断要求、４０２…通信切断要求発行、４０３…ネットワークに対して通信切断要求送信、４０４…ネットワークからの切断応答判定、４０５…端末電源切断処理一時停止用タイマ満了判定、４０６…端末電源切断処理一時停止用タイマクリア処理、４０７…端末電源切断処理、４０８…端末電源切断要求発行処理、４０９…端末電源切断処理一時停止用タイマ起動、４１０…新アドレス取得処理、４１１…ネゴシエーション完了判定、４１２…端末電源切断処理一時停止用タイマ満了判定、４１３…待受け状態、４１４…端末電源切断要求発行有無判定、４１５…待受け状態。
【図１】
2005229337.tif 000003
【図２】
2005229337.tif 000004
【図３】
2005229337.tif 000005
【図４】
2005229337.tif 000006